(57)【要約】【課題】熱源としてのＬＰＧによる燃焼炎を外部に出さないよう燃焼率、熱交換率を向上させ且つ送風圧損を低下せしめ、しかも多量のナノイオンを発生せしめる。【解決手段】この美容器１は、燃料ガスを貯留するためのガスタンク３７と、このガスタンク３７から供給された燃料ガスを燃焼する燃焼器２３と、この燃焼器２３で加熱された空気を、上記燃焼器２３を内装した筒状のケーシング３の出口２７側へ流出せしめるための送風機２９と、この送風機２９のモータ３１を回転するための電源５３と、前記燃料ガスに点火するための点火装置２１とを備えており、前記ケーシング３の先端にフード７を取り付けると共にこのフード７における前記ケーシング３側の一部にトリートメント水を霧化せしめるトリートメント水用霧化装置９を備えてなることを特徴とする。【選択図】図１
2007319618.tif 000002
【特許請求の範囲】
【請求項１】
燃料ガスを貯留するためのガスタンクと、このガスタンクから供給された燃料ガスを燃焼する燃焼器と、この燃焼器で加熱された空気を、上記燃焼器を内装した筒状のケーシングの出口側へ流出せしめるための送風機と、この送風機のモータを回転するための電源と、前記燃料ガスに点火するための点火装置とを備えており、
前記ケーシングの先端にフードを取り付けると共にこのフードにおける前記ケーシング側の一部にトリートメント水を霧化せしめるトリートメント水用霧化装置を備えてなることを特徴とする美容器。
【請求項２】
前記トリートメント水用霧化装置が、トリートメント水を一時的に貯留せしめておく貯留容器と、この貯留容器にトリートメント水を一定に供給すべく、トリートメント水が一定量貯えられた貯留びんと、前記貯留容器内のトリートメント水を霧化させるべく、前記貯留容器内に設けられた超音波発生装置と、前記貯留容器から前記フード内に霧化された前記トリートメント水を供給すべく、前記貯留容器に一端が接続され、かつ他端が前記フードに連通された供給管と、前記貯留容器内に設けられ、前記貯留容器から前記フード内に霧化された前記トリートメント水を供給するための供給手段と、から構成されていることを特徴とする請求項１記載の美容器。
【請求項３】
前記フードにおける前記ケーシング側に、前記ケーシングから流出する気流を前方に向けて渦状に回転せしめる渦流発生装置を設けてなることを特徴とする請求項１又は２記載の美容器。
【請求項４】
前記フードにおける前記ケーシング側に、前記ケーシングから流出する気流を拡散せしめる拡散板が前記フードの前後方向に対する垂直面においてほぼ中心に設けられていることを特徴とする請求項１、２又は３記載の美容器。
【請求項５】
前記拡散板が、前記フードの中心部の気流を通過せしめる筒状体と、この筒状体の前端部の外周に設けたコーン状の拡散部と、からなることを特徴とする請求項４記載の美容器。
【請求項６】
前記拡散板が前後方向に移動調整自在であることを特徴とする請求項４又は５記載の美容器。
【発明の詳細な説明】
【技術分野】
【０００１】
この発明は、美容器に係り、さらに詳細には多量のマイナスイオンを発生させて、マイナスイオンによる肌の手入れを向上させるようにした美容器に関する。
【背景技術】
【０００２】
近年、マイナスイオンが爽快感やリラックス感をもたらして人体の健康に良いとされ、医学的にもいくつかの事実が証明され、注目されており、マイナスイオンが素肌や毛髪に潤いと引き締めを与えることから、マイナスイオン発生装置によりマイナスイオンを発生させてヘアードライヤーに活用されている。さらには、マイナスイオンがエステ施術としても活用されている。
【０００３】
例えば、エステテックサロンなどの美容院では、被施術者の例えば顔の肌に蒸気を当てることにより、肌の血行や新陳代謝の促進を図るフェーシャトルトリートメントが広く行われてきているので、蒸気にマイナスイオンを加えて被施術者の例えば顔の肌に当てる方法が開発されている。
【０００４】
例えば、特許文献１、２にはマイナスイオン発生装置によりマイナスイオンを発生させて、このマイナスイオンを被施術者の例えば顔の肌に当てる美容器や蒸気発生装置が知られている。これらのものは、高電圧を加えてマイナスイオンを発生させ、しかも、微量の水を放電電極から強制的に飛ばす方式である。
【特許文献１】特開２００４−１６５２３号公報
【特許文献２】特開２００６−２６０２２号公報
【発明の開示】
【発明が解決しようとする課題】
【０００５】
ところで、従来の美容器や蒸気発生装置では、マイナスイオンの寿命が短く、大部分のマイナスイオンは素肌に届く前に消滅してしまう。しかも、発生する水蒸気が少ないし、高電圧を使用するため、電気ショックによる事故などが懸念されるという問題がある。
【０００６】
また、マイナスイオンはｐｈ７．０であり、単にマイナスイオンを混合した水蒸気では、素肌や毛髪に良いとされる弱酸性の蒸気とはならないので、美容器としては不十分であった。
【０００７】
なお、弱酸性の蒸気とするには、水蒸気に炭酸ガスを含ませることでできるが、炭酸ガスを発生する装置が必要となる。もし、燃料を燃焼して炭酸ガスを発生させるとすれば、完全燃焼する必要があるし、燃焼で発生する炭酸ガスを水蒸気に溶解させるには水蒸気の温度を下げなければならず、水蒸気を極端に冷却させることは温風の機能が犠牲になってしまうという問題点があった。
【０００８】
この発明の目的は、熱源としてのＬＰＧによる燃焼炎を外部に出さないよう燃焼性能、熱交換率を向上させ且つ送風圧損を低下させ、多量のマイナスイオン並びにナノスチームを発生する美容器を提供することにある。
【課題を解決するための手段】
【０００９】
上記発明が解決しようとする課題を達成するために請求項１によるこの発明の美容器は、燃料ガスを貯留するためのガスタンクと、このガスタンクから供給された燃料ガスを燃焼する燃焼器と、この燃焼器で加熱された空気を、上記燃焼器を内装した筒状のケーシングの出口側へ流出せしめるための送風機と、この送風機のモータを回転するための電源と、前記燃料ガスに点火するための点火装置とを備えており、
前記ケーシングの先端にフードを取り付けると共にこのフードにおける前記ケーシング側の一部にトリートメント水を霧化せしめるトリートメント水用霧化装置を備えてなることを特徴とするものである。
【００１０】
請求項２によるこの発明の美容器は、前記請求項１によるこの発明の美容器において、前記トリートメント水用霧化装置が、トリートメント水を一時的に貯留せしめておく貯留容器と、この貯留容器にトリートメント水を一定に供給すべく、トリートメント水が一定量貯えられた貯留びんと、前記貯留容器内のトリートメント水を霧化させるべく、前記貯留容器内に設けられた超音波発生装置と、前記貯留容器から前記フード内に霧化された前記トリートメント水を供給すべく、前記貯留容器に一端が接続され、かつ他端が前記フードに連通された供給管と、前記貯留容器内に設けられ、前記貯留容器から前記フード内に霧化された前記トリートメント水を供給するための供給手段と、から構成されていることが好ましい。
【００１１】
請求項３によるこの発明の美容器は、前記請求項１又は２によるこの発明の美容器において、前記フードにおける前記ケーシング側に、前記ケーシングから流出する気流を前方に向けて渦状に回転せしめる渦流発生装置を設けていることが好ましい。
【００１２】
請求項４によるこの発明の美容器は、前記請求項１、２又は３によるこの発明の美容器において、前記フードにおける前記ケーシング側に、前記ケーシングから流出する気流を拡散せしめる拡散板が前記フードの前後方向に対する垂直面においてほぼ中心に設けられていることが好ましい。
【００１３】
請求項５によるこの発明の美容器は、前記請求項４によるこの発明の美容器において、前記拡散板が、前記フードの中心部の気流を通過せしめる筒状体と、この筒状体の前端部の外周に設けたコーン状の拡散部と、からなることが好ましい。
【００１４】
請求項６によるこの発明の美容器は、前記請求項４又は５によるこの発明の美容器において、前記拡散板が前後方向に移動調整自在であることが好ましい。
【発明の効果】
【００１５】
以上のごとき課題を解決するための手段から理解されるように、この発明によれば、ガスタンクから供給された燃料ガスが点火装置により点火され、燃焼器で燃焼されると共に送風機により外気から空気が、上記燃焼器に送られて燃焼器で燃焼を良くして燃焼された温風の炭酸ガスが筒状のケーシングの出口側を通ってフード内に送られる。このフード内ではさらに、トリートメント水用霧化装置により霧化されたトリートメント水が前記フード内に送られる。
【００１６】
上記の霧状のトリートメント水はフード内で燃焼器から流出される温風の炭酸ガスを吸収し、炭酸水を含んだ霧となって混合されるから、素肌や毛髪に良いとされるｐＨ６〜５の弱酸性の蒸気となる。燃焼器の温度を高くしても、トリートメント水用霧化装置の冷却効果でフードの出口の温度は心地のよい温風となり、マイナスイオンやナノスチームも増加する。したがって、弱酸性の蒸気とナノスチームは素肌への浸透力が強く、素肌も引き締め、みずみずしい肌が期待でき、また、化粧品もよくのる。
【発明を実施するための最良の形態】
【００１７】
以下、この発明の実施の形態について図面を参照して説明する。
【００１８】
図１及び図２を参照するに、この実施の形態に係る美容器１は、筒状のケーシング３を備えており、この実施の形態ではほぼ円筒形状をなしている。このケーシング３の長手方向に対してほぼ直交する方向に長いハンドル部５が上記のケーシング３の側壁面に設けられている。また、ケーシング３の先端部には、フード７が着脱可能に取り付けられると共にこのフード７における前記ケーシング３側の一部にトリートメント水を霧化せしめるトリートメント水用霧化装置９が備えてられている。
【００１９】
また、美容器１は、載置台１１に固定された美容器支持部材１３の上部に取付バンド１５などの取付具を介して支持されている。例えば、取付バンド１５がフード７の後端部に巻回されており、この取付バンド１５の下部が美容器支持部材１３の上部にハンドル付ボルト１７などの固定具で取り付けられている。したがって、ハンドル付ボルト１７を緩めることにより、フード７の水平面に対する上下の角度を変化させることができ、ハンドル付ボルト１７を締め付けて、フード７の向きを被施術者の例えば顔の位置に合わせた所望の角度に固定することができる。なお、フード７は上記の取付バンド１５によりケーシング３の先端部に着脱可能な構成である。
【００２０】
また、上記のトリートメント水用霧化装置９は上記の載置台１１に設けられており、詳しくは後述する。
【００２１】
先ず、前記ケーシング３の内部の温風並びにマイナスイオン発生構造について説明する。
【００２２】
前記ケーシング３内には、図３に示されているように、燃料ガスとしての例えばＬＰＧと空気とを混合して混合ガスを生成するためのエゼクター１９と、このエゼクター１９により生成された混合ガスに点火するための点火装置としての例えば点火プラグ２１を備え且つこの点火プラグ２１により点火された混合ガスを燃焼する燃焼器２３が内装されている。なお、上記のエゼクター１９には一次エアーを吸引してエゼクター１９の内部に導入するための吸引口２５が設けられている。
【００２３】
さらに、ケーシング３内には、燃焼器２３で加熱された空気をケーシング３の出口２７の側へ流出せしめるための送風機２９が上記のエゼクター１９より後方側（図３において右側）に内装されている。この送風機２９としては、直流モータ３１が空気流路を備えたブラケット３３によりケーシング３の後方側の内壁面に設けられており、上記の直流モータ３１の回転軸に送風用の軸流ファン３５が設けられている。
【００２４】
なお、ケーシング３の後端（図３において右端）は安全のために例えば空気取入れ用の多数の穴を備えた壁面で覆われている。
【００２５】
前記ハンドル部５には、エゼクター１９に燃料ガスを供給するために燃料ガスとしての例えばＬＰＧを貯留するためのガスタンク３７と、上記送風機２９の直流モータ３１を回転せしめるための電源としての例えば２本の乾電池３９が乾電池ケース内に着脱可能に設けられている。
【００２６】
なお、ガスタンク３７にはハンドル部５の底面に設けた注入弁（図示省略）を介してＬＰＧが補充可能とされている。ガスタンク３７上端は上記のエゼクター１９にＬＰＧを供給すべくガス流路としての例えばガス供給管４１が連通されている。このガス供給管４１の途中には、ガスの開閉弁としてのコントロールバルブ４３が設けられている。
【００２７】
また、上記のコントロールバルブ４３のガス開閉を行うための操作レバー４５がハンドル部５の側壁面（図３において左側面）に突出され、前記操作レバー４５はハンドル部５の内部で図３において時計・反時計回りに回動自在に設けられている。操作レバー４５の上部はコントロールバルブ４３を開閉すべく上下動せしめるように係合しており、操作レバー４５の下部はハンドル部５の内部に設けたマグネットユニット４７により着脱可能に設けられている。
【００２８】
なお、マグネットユニット４７は押圧された操作レバー４５の下部を電磁石により吸着してコントロールバルブ４３の開放状態を維持するためのものである。
【００２９】
また、ハンドル部５には点火装置の一部を構成する点火用圧電素子４９が内蔵されており、この点火用圧電素子４９に高圧電気を発生せしめるための点火用ツマミ５１がハンドル部５の側壁面から外側に突出されている。点火用圧電素子４９は電線５３により前述した点火プラグ２１に接続されている。
【００３０】
また、ケーシング３の内部にはマグネットユニット４７と直流モータ３１のＯＮ・ＯＦＦ動作を制御するスイッチング制御部としての例えばスイッチングアンプ５５が設けられており、このスイッチングアンプ５５は電源としての乾電池３９、マグネットユニット４７、直流モータ３１に電気的に接続されている。
【００３１】
また、ハンドル部５の側壁面（図３において右側面）にはスイッチングアンプ５５に送風機２９の送風開始の信号を送信するためのマイクロスイッチ５７と、燃焼器２３内で燃焼ガスが着火したことを表示するための着火確認用ＬＥＤ５９が設けられており、燃焼器２３の外壁には外壁温度により着火状態を検出する着火検出器としての例えば着火センサ６１が設けられ、燃焼器２３の出口付近には燃焼器２３で加熱された空気の過熱状態を検出する過熱検出器としての例えば温風過熱センサ６３がケーシング３の内壁に設けられており、それぞれスイッチングアンプ５５に電気的に接続されている。
【００３２】
図４及び図５を併せて参照するに、上記の燃焼器２３についてより詳しく説明すると、燃焼器２３のチャンバー６５はアルミ（ダイカト）の材料からなり、図３及び図４に示されているように送風機２９とケーシング３の出口２７との間に配置されており、この実施の形態では燃焼器２３の長手方向に直交する断面が図５に示されているようにほぼ円形の筒状体である。その内部は図４において右側に位置する一次燃焼室６７と、この一次燃焼室６７の前方（図４において左方）に位置する二次燃焼室６９と、一次燃焼室６７の後方（図４において右方）に位置するエゼクター１９と、から構成されている。
【００３３】
上記のエゼクター１９としては、ガスタンク３７からガス供給管４１を経て供給されるＬＰＧを噴射するノズル７１が設けられており、このノズル７１は先端に口径がφ６０μｍ〜φ２００μｍのピンホールの噴射穴７３があり、ノズル７１内には噴射穴７３を閉鎖させる不純物やゴミを除去するフィルタ（図示省略）が内蔵されている。なお、このフィルタとしては例えば１０〜３０μｍの口径のピンホールを有する焼結金属などが用いられる。
【００３４】
また、噴射穴７３は円板状のピンホールディスク７５のほぼ中央に設けたオリフィスとして形成されており、上記の噴射穴７３からはＬＰＧが細く、音速に近いスピードで高速で吐出される。
【００３５】
上記のノズル７１の前方にはＬＰＧを一次エアーと混合して燃焼器２３へ導入するためのミキサー７７が設けられており、ミキサー７７の側壁には一次エアーを吸引するための吸引口２５が貫通されている。したがって、上記のノズル７１から吐出された燃焼ガスによってミキサー７７内が負圧になり、一次エアーが吸引されて燃焼ガスと一緒に混じりなから前方のガス燃焼部としての例えばウイック７９へ送られる。これを、エゼクター効果という。なお、吸引口２５の面積が調節されることにより、一次エアーの割合を調節することができる。
【００３６】
ウイック７９は、ガス燃焼部として５０〜１５０メッシュのＳＵＳ金網で円筒状の形状になっており、燃焼器２３の一次燃焼室６７の図４において右側のほぼ中心部に設けられている。上記の網目からＬＰＧと空気の混合ガスが排出される。なお、ウイック７９の前方端には直進抑制部８１が設けられており、この直進抑制部８１によりミキサー７７から吐出された混合ガスの直進が抑制され、主として側方への流出が促進される。着火後の火炎は青色で円形になる。
【００３７】
また、前述した点火プラグ２１は燃焼器２３の内部にウイック７９の前方の側面に接近した位置に設けられている。点火プラグ２１には点火用圧電素子４９から高圧の電気が入力され、先端からウイック７９へ火花が飛ばされる。火花がウイック７９から出た混合ガスに引火し、ガスが燃焼する。
【００３８】
一次燃焼室６７の内壁には、前後方向に延伸した複数の溝部８３が図５に示されているようにウイック７９を中心にして周囲の放射方向に配置されている。さらに、前記複数の各溝部８３の間には二次燃焼室６９へ二次エアーを供給する複数の二次エアー管路８５が前記一次燃焼室６７の壁内に設けられている。
【００３９】
したがって、軸流ファン３５からの空気流が二次エアー管路８５を通ることにより、一次燃焼室６７の温度を下げると共に、二次燃焼室６９へ二次エアーとして導入される。つまり、二次エアーは一次燃焼室６７の温度を下げる効果と、二次燃焼室６９での燃焼性能向上の効果がある。ちなみに、二次エアー管路８５の数を４〜１２個で燃焼性能と熱交換の効率測定の実験を行ったところ、燃焼性能と熱交換を両立せしめるには８個が良い結果であった。
【００４０】
また、チャンバー６５の外周側には熱交換用の複数枚のフィン８７が設けられている。このフィン８７はチャンバー６５内で混合ガスが燃焼したときの発生熱を放出すると共に軸流ファン３５から送風された空気流へ熱を伝える、つまり熱交換する効果がある。フィン８７の枚数は多いと熱交換効率が良いのであるが、送風通路面積が減少するために圧損が発生し、送風が低下する。ちなみに、フィン８７の枚数を４〜１２枚で熱交換と送風量の効率測定の実験を行なったところ、熱交換と送風量を両立せしめるには８枚のフィン８７が良い結果であった。
【００４１】
次に、前記フード７についてより詳しく図面を参照して説明する。
【００４２】
再び、図１及び図２を参照するに、この実施の形態では、フード７は前記ケーシング３の先端部に着脱可能な円筒形状のストレート部８９と、このストレート部８９の前端に前方に向けて広がるラッパ形状の気流拡散部９１と、で構成されている。
【００４３】
また、前記ストレート部８９の内部には、前記ケーシング３の出口２７から流出する温風の気流を前方に向けて渦状に回転せしめる渦流発生装置９３が設けられている。
【００４４】
この渦流発生装置９３としては、例えば図１及び図７に示されているように、ストレート部８９の内部が、ストレート部８９の中心の気流を直進させるための中心円筒部９５で分割されると共に、前記中心円筒部９５の前端部とストレート部８９の内壁との間が渦流発生壁部９７で塞がれ、かつ、この渦流発生壁部９７には前記中心円筒部９５の外周側を通過する気流を渦流に変換するための複数の渦流発生用穴部９９が円周方向にほぼ均等な配列で設けられる構成である。さらに、前記各渦流発生用穴部９９は、この実施の形態では気流の進行方向に対して斜め外向きの角度で同じ方向に設けられている。
【００４５】
したがって、ストレート部８９の中心部の気流は中心円筒部９５の内部を直進し、前記中心円筒部９５の外周側を通過する気流は複数の各渦流発生用穴部９９を通過するときに渦流が発生することになる。
【００４６】
なお、渦流発生装置９３としては、上述した構成に限らず、例えば前記中心円筒部９５とストレート部８９の内壁との間が渦流を発生させる方向にガイドする複数の隔壁板で分割された構成であってもよく、あるいは他の構成でも良い。
【００４７】
また、前記ストレート部８９の前端部には、前記ケーシング３の出口２７から流出する温風の気流を拡散せしめる拡散板１０１が、前記ストレート部８９の前後方向に対する垂直面においてほぼ中心に設けられており、前記拡散板１０１は渦流発生装置９３の前方側に設けられている。また、前記拡散板１０１は、ストレート部８９の中心部の気流を通過せしめる筒状体１０３と、この筒状体１０３の前端部の外周に設けて前方に向けて広がるコーン状の拡散部１０５と、から構成されている。
【００４８】
また、前記ストレート部８９の内部には、拡散板１０１の筒状体１０３を支持するための拡散板支持体１０７が前記ストレート部８９の内壁に、例えば図６および図８に示されているように３本の支持バー１０９を介して支持固定されて前記ストレート部８９のほぼ中心部に位置して設けられている。前記拡散板支持体１０７は円筒形状をなしており、拡散板１０１の筒状体１０３が拡散板支持体１０７の内部に挿入され、かつ、前後方向に移動調整自在に設けられている。
【００４９】
したがって、渦流発生装置９３の中心円筒部９５の内部を直進した気流は拡散板１０１の筒状体１０３の内部を通過して直進し、一方、渦流発生装置９３の複数の渦流発生用穴部９９で発生した渦流は拡散板１０１のコーン状の拡散部１０５で拡散されてフード７のラッパ形状の気流拡散部９１内を渦巻き状に前進することになる。
【００５０】
また、拡散板１０１が図１の二点鎖線で示されているように前後方向に移動することにより、コーン状の拡散部１０５の外周とフード７のラッパ形状の気流拡散部９１との間の面積が変化するので、フード７内の渦流の拡散状態が変化することになる。つまり、拡散板１０１を前後方向に移動することにより、ケーシング３の出口２７から流出する温風の気流とトリートメント水用霧化装置９からの霧化したトリートメント水との混合状態を調整することができる。
【００５１】
また、拡散板１０１を設けたことにより、ケーシング３の内部の燃焼器２３の燃焼炎が拡散板１０１で隠れて見えにくくなるので、燃焼炎による恐怖感を無くす効果もある。
【００５２】
次に、前記トリートメント水用霧化装置９について図面を参照して説明する。
【００５３】
図１及び図２を参照するに、トリートメント水用霧化装置９は、純粋な水などの肌に良いトリートメント水を一時的に貯留せしめておく貯留容器１１１を備えており、この貯留容器１１１の図１において例えば左側上部には、この貯留容器１１１にトリートメント水を一定に供給すべく、トリートメント水が一定量貯えられた貯留びん１１３が逆さまにてして着脱可能に取り付けられている。前記貯留容器１１１内のトリートメント水を霧化させるべく、前記貯留容器１１１内には超音波発生装置１１５が設けられている。
【００５４】
また、前記貯留容器１１１から前記フード７内に霧化された前記トリートメント水を供給すべく、前記貯留容器１１１に供給管１１７の一端が接続されていると共に、供給管１１７の他端が前記フード７に連通されている。なお、前記供給管１１７は、この実施の形態では蛇腹状のホースであり、フード７の水平に対して上下方向の傾き角度の調整に追従可能となっている。また、前記貯留容器１１１の図１において右側壁が開放されている。しかも、前記貯留容器１１１内の図１において右側には、前記貯留容器１１１から前記フード７内に霧化された前記トリートメント水を供給するための供給手段としての例えば送風ファン１１９が設けられている。
【００５５】
次に、この実施の形態の美容器１の全体的な動作を説明するために、まず、ケーシング３の内部の温風並びにマイナスイオン発生の作用について説明する。
【００５６】
この実施の形態の美容器１に対して、ブタンを主成分とするＬＰＧ混合ガスがガスタンク３７に注入され、電源となる乾電池３９が二本セットされる。上記の乾電池３９は交換でき、ＬＰＧも市販の小型ボンベから何回でも注入弁を介して充填できる。
【００５７】
先ず、マイクロスイッチ５７がＯＮにされると、信号がスイッチングアンプ５５へ送られることにより、スイッチングアンプ５５からマグネットユニット４７と送風機２９の直流モータ３１へ通電の指令が与えられ、送風が開始される。
【００５８】
次いで、操作レバー４５が押されると、コントロールバルブ４３の先端が上へ引上げられてガス開放が行われ、ガス供給が開始される。マグネットユニット４７の通電により操作レバー４５は押した状態で吸着されるのでガス供給状態が保持される。
【００５９】
ＬＰＧはガスタンク３７からガス圧力により押し出され、コントロールバルブ４３とガス供給管４１を経て燃焼器２３のエゼクター１９のノズル７１内へ供給される。
【００６０】
図４を参照するに、ＬＰＧはノズル７１内のフィルタを通過してオリフィスとしての噴射穴７３からミキサー７７へ音速に近いスピードで噴出されるので、ミキサー７７内ではエゼクター効果によって発生する負圧により、燃焼に必要な一次エアー（空燃比に相応する）が吸引口２５から吸引されてミキサー７７内へ流入し、この流入した一次エアーとＬＰＧとが混合されて混合ガスとなり前方のウイック７９へ噴出される。したがって、ミキサー７７ではＬＰＧの増減に比例して燃焼に必要な一次エアーが自動的に吸引されるので、たとえ電池の電圧低下があっても不完全燃焼が生じることはない。
【００６１】
そして、ウイック７９では前方端面に直進制御部８１が設けられているので、燃料ガス（混合ガス）は主として側面のメッシュのＳＵＳ金網から周囲に噴出されることになる。
【００６２】
次いで、点火用圧電素子４９の点火用ツマミ５１が押されることにより、高圧の電気が電線５３を経て燃焼器２３内の点火プラグ２１から火花が発生し、ウイック７９から出た混合ガスに着火する。この燃焼炎の殆どはウイック７９の側面から外方へ円形状に広がっていくことになり、燃焼炎の長さはウイック７９から十数ｍｍ程度で留まり、温風は一次燃焼室６７の内部並びに内壁の８個の溝部８３に沿って前方の二次燃焼室６９へ伝わっていくことになる。このとき、軸流ファン３５からの空気流（二次エアー）が前記８個の溝部８３の間に備えられた８個の二次エアー管路８５を通るので、一次燃焼室６７の温度が効率よく下げられる。
【００６３】
さらに、二次燃焼室６９では８個の二次エアー管路８５を通過して高温に温められた二次エアーが導入されるので、さらに燃焼反応が促進され、燃焼性能向上が図られる。つまり、一次燃焼室６７で燃焼を終えたガスと高温の二次エアーが混合するので燃焼反応し易くなり、完全燃焼し易くする効果がある。これによって燃焼性能が向上する。
【００６４】
したがって、この実施の形態のチャンバー６５では、殆どの未燃焼ガスは二次燃焼室６９で燃焼されるので、チャンバー６５の外部には火炎が出にくい構造となっている。美容器１は人体に使用される器具であるので、万一でもケーシング３の出口２７からの炎の発生は許されないものであるが、二次燃焼室６９で完全燃焼が行われるので炎を消し、無炎とする効果があり、出口２７からの炎の発生は確実に防止される。
【００６５】
また、チャンバー６５の外側の熱交換用の複数枚のフィン８７により、熱交換されるので、チャンバー６５の熱が放出され、この熱が軸流ファン３５から送風される空気流へ効率よく伝わる。
【００６６】
なお、上記のほぼ断面円形のチャンバー６５はアルミダイカストで大量生産が可能であるので安くできる。また、二次エアーが導入されることからチャンバー６５の熱交換率が良いものである。特に、一次燃焼室６３内が冷やされて高温にならないので、チャンバー６５の材料のアルミが溶融しにくくなるため薄肉化が可能であり、熱交換率が向上することになる。
【００６７】
また、上記のように温められた温風温度は、ガス量と送風量で決定されるので、所望の温風温度となるように燃焼器２３の仕様が決定される。例えば、燃焼器２３のガス量を２００ｃｃ／分とすると、この燃焼器２３が美容器１のケーシング３へ装着されてから、所望の温風温度（例えば１００°Ｃ±１０°Ｃ）となるような送風量が決定される。送風量は直流モータ３１の回転数と使用する軸流ファン３５との組み合わせにより決定される。
【００６８】
また、この実施の形態の美容器１から出る温風の作用について説明すると、使用される燃料ガスは一般的に使用されているＬＰＧであり、このＬＰＧはブタンガス（Ｃ４Ｈ１０）とプロパンガス（Ｃ３Ｈ８）を主成分としたガスである。ブタンガスとプロパンガスが完全燃焼反応を起こすと、二酸化炭素（ＣＯ２）と水蒸気（Ｈ２Ｏ）が生成され、燃焼後のガスは水蒸気を含んだ温風となる。
【００６９】
その化学式は以下の通りであり、
プロパンは、Ｃ３Ｈ８＋５Ｏ２→３ＣＯ２＋４Ｈ２Ｏとなり、
ブタンは、Ｃ４Ｈ１０＋６．５Ｏ２→４ＣＯ２＋５Ｈ２Ｏとなる。
【００７０】
上記のように水蒸気を含んだ高温の排気ガスは、チャンバー６５の出口付近で乱流が起きるので、高温で活性化された水分子同士が衝突し合うことにより、イオン化し、マイナスイオンを大量に含んだ温風となって排出されるのである。この場合、この実施の形態の美容器１においては、従来に比べて、完全燃焼しているために燃焼温度が高いので、水分子の分子運動が大きく、水分子同士の衝突が激しいことや、二次エアーの流れによって二次燃焼室６９で乱流が発生するために分子同士の衝突が激しいことから、マイナスイオンが発生し易くなったと考えられる。
【００７１】
ちなみに、従来の例えばイオン発生器を備えたヘアードライヤーにおけるマイナスイオン発生量は、ドライヤーの出口から１５ｃｍ離れた位置で、２，０００〜２，５００個／ｃｍ３であり、出口から３０ｃｍ離れた位置で、５００〜１，０００個／ｃｍ３である。これに対して、この実施の形態の美容器１では、ケーシング３の出口２７から１５ｃｍ離れた位置で、９０，０００〜１００，０００個／ｃｍ３で、従来の４０〜４５倍であり、出口２７から３０ｃｍ離れた位置で、７０，０００〜９０，０００個／ｃｍ３で、従来の９０〜１４０倍である。
【００７２】
なお、ＬＰＧが不完全燃焼したときに発生する一酸化炭素は、二次燃焼室６９で完全燃焼されるので少なくなり、美容器１のケーシング３の出口２７から排出される一酸化炭素（ＣＯ）濃度は小さくなる。ちなみに、ガス量が２００ｃｃ／分における一酸化炭素濃度については、従来では９００ｐｐｍ以上であるが、この実施の形態では１５ｐｐｍである。
【００７３】
また、ガス量が２００ｃｃ／分における温風出口温度（中心部）については、従来ではドライヤーの出口から５０ｍｍ離れた位置で約８０℃であり、出口から１００ｍｍ離れた位置で約７５℃であり、出口から１５０ｍｍ離れた位置で約６０℃であるが、この発明の実施の形態では、ケーシング３の出口２７から５０ｍｍ離れた位置で約１８０℃で、出口２７から１００ｍｍ離れた位置で約１３０℃で、出口２７から１５０ｍｍ離れた位置で約９０℃である。したがって熱交換効率が従来より大巾に高いことが伺える。
【００７４】
以上のようにして燃焼器２３のチャンバー６５内で混合ガスが燃焼すると、チャンバー６５に装着された着火センサ６１が温められる。この着火センサ６１が一定時間内に予め設定された設定温度を検知すると、信号がスイッチングアンプ５５へ通電されることにより、スイッチングアンプ５５から着火確認用ＬＥＤ５９へ通電され、このＬＥＤの点灯により着火したことが確認できる。
【００７５】
一方、マイクロスイッチ５７がＯＦＦにされると、スイッチングアンプ５５への信号が遮断されることにより、マグネットユニット４７と送風機２９の直流モータ３１への通電も遮断される。
【００７６】
上記のマグネットユニット４７ヘの通電が遮断したことにより、ガス開放状態に保持されていた操作レバー４５は離脱され、元の原位置に戻るために、コントロールバルブ４３は閉じられ、ガス供給は停止し、また、直流モータ３１への通電も遮断されたことにより、送風も停止することとなる。
【００７７】
また、上記のマグネットユニット４７が装着されていることにより、以下の事態が生じた場合にガス供給の停止が可能となり、安全装置として機能する。
【００７８】
一つ目の事態としては、着火ミスが生じた場合、あるいは何らかの影響でガス燃焼が中断してしまった場合がある。着火操作を行ったにもかかわらず着火センサ５７が一定時間内に予め設定した設定温度に達しなかった場合、あるいはガス燃焼中であるにもかかわらず着火センサ６１が上記の設定温度を下回った揚合は、着火センサ６１からスイッチングアンプ５５への信号が遮断される。
【００７９】
このように着火センサ６１からの信号が一定時間以上ない場合は、スイッチングアンプ５５から与えられる指令によりマグネットユニット４７、直流モータ３１、及び着火確認用ＬＥＤ５９への通電は一切遮断されることになり、マグネットユニット４７によって保持されていた操作レバー４５が離脱され、コントロールバルブ４３が閉じ、ガス供給が停止する。同時に直流モータ３１も停止して送風が停止され、着火確認用ＬＥＤ５９は消灯する。以上のように、美容器１は完全な停止状態となる。
【００８０】
また、二つ目の事態としては、美容器１を使用中に燃料ガスが無くなってしまった場合がある。このときは、燃料ガス量の不足により燃焼温度が低下し、もしくは燃焼継続が不可能となるために燃焼中断となるので、送風機２９からの送風により着火センサ６１が冷却されて着火センサ６１の温度が設定温度より下がるために、着火センサ６１からスイッチングアンプ５５への信号が遮断される。したがって、前述した最初の事態で説明したように美容器１は完全な停止状態となる。
【００８１】
また、三つ目の事態としては、美容器１を使用中に温風温度が高温になり、温風温度が設定温度を超えてしまった揚合がある。このように設定温度を超えてしまうと、温風過熱センサ６３の内部の接点が離れ、スイッチングアンプ５５への信号が遮断される。
【００８２】
温風過熱センサ６３からの信号が遮断されると、スイッチングアンプ５５から与えられる指令によりマグネットユニット４７ヘの通電は直ちに遮断され、ガス供給は停止する。また、直流モータ３１は予め設定した一定の設定時間だけ通電され、送風機２５の送風により過熱した温風が冷却され、その後停止する。美容器１は完全な停止状態となる。
【００８３】
また、四つ目の事態としては、美容器１を使用中に電池残量が少なくなった場合がある。このときは、美容器１を使用中にスイッチングアンプ５５にて電池３９の電圧が検知され、電圧が予め設定したレベル以下の場合は、マグネットユニット４７と直流モータ３１ヘの通電が遮断され、ガス供給、送風共に停止する。したがって、前述した最初の事態で説明したように美容器１は完全な停止状態となる。
【００８４】
以上のように、マグネットユニット４７が装着されることにより、危険な事態が生じた場合は容易にガス供給の停止が可能となり、美容器１を安全に保つことができる。
【００８５】
次に、前記トリートメント水用霧化装置９及びフード７内の作用について詳しく説明する。
【００８６】
前述したトリートメント水用霧化装置９の構成により、図１に示されているように、貯留びん１１３内に貯えられたトリートメント水としての例えば純粋な水が貯留容器１１１内に落下し、一定量の水が貯留される。この状態で、超音波発生装置１１５を作動せしめると共に送風ファン１１９が作動される。その結果、貯留容器１１１内の水が供給管１１７を経て前記フード７のストレート部８９内に霧化される。
【００８７】
一方、前記ケーシング３の出口２７から送られてきた温風の気流は、渦流発生装置９３の中心円筒部９５と複数の渦流発生用穴部９９を経て、中心部の直進流とその周囲の渦流となる。
【００８８】
したがって、前記ケーシング３から送られてきた燃焼で発生する高温の水蒸気と、トリートメント水用霧化装置９からの霧化された冷たい水（Ｈ２Ｏ）が上記の渦流によってストレート部８９内で均一に混合される。しかも、前記ケーシング３から送られてきた温風の二酸化炭素（ＣＯ２）と前記トリートメント水用霧化装置９から送られてストレート部８９内に霧化された冷たい水（Ｈ２Ｏ）が作用しあって、ＣＯ３−−（炭酸イオン）になる。このようにして、マイナスイオンやナノスチーム（ナノイオン化水蒸気）は大幅に増加する。
【００８９】
さらに、上記の霧状のトリートメント水はフード内で燃焼器から流出される温風の炭酸ガス（ＣＯ２）を吸収し、炭酸水を含んだ霧となって混合されるから、素肌や毛髪に良いとされるｐＨ６〜５の弱酸性の蒸気となる。
【００９０】
すなわち、ナノイオンは、前記ケーシング３から送られてきた水蒸気並びにトリートメント水用霧化装置９から送られてきた霧化された冷たい水（Ｈ２Ｏ）を超微粒子化し、その水分子に電気を帯びさせたイオンである。マイナスイオンがｐｈ７．０であるのに対し、ナノイオンはｐｈ５．５の弱酸性を示すもので、その水分量はマイナスイオンの１０００倍に達するので、モイスチャー効果がアップする。髪のツヤの長持ちはマイナスイオンの約２倍であり、水分保持時間はマイナスイオンの約６５％アップとなり、しなやかさもマイナスイオンの約２．５倍であり、髪の強度はマイナスイオンの約２０％アップとなる。
【００９１】
燃焼器２３の燃焼で発生する炭酸ガスを水蒸気に溶解させるには、水蒸気の温度を下げなければならないが、燃焼で発生する水蒸気を極端に冷却させることは難しいことであり、冷却したとしても温風の機能が犠牲になってしまうことになる。
【００９２】
しかし、この実施の形態では、燃焼器２３から流出される温風と霧状のトリートメント水とを混合するようにしたので、燃焼器２３の温度を高くしても、トリートメント水用霧化装置９の冷却効果でフード７の出口の温度は心地のよい温風となり、マイナスイオンやナノスチームも増加する。したがって、弱酸性の蒸気とナノスチームは素肌への浸透力が強く、素肌も引き締め、みずみずしい肌が期待でき、また、化粧品もよくのる効果がある。
【図面の簡単な説明】
【００９３】
【図１】この発明の実施の形態を示すもので、美容器の側面図である。
【図２】この発明の実施の形態を示すもので、美容器の概略的な全体斜視図である。
【図３】この発明の実施の形態の美容器におけるケーシング内の縦断面である。
【図４】この発明の実施の形態の燃焼器の拡大側面図である。
【図５】図４の左側面図である。
【図６】美容器のフードの前方から視た部分的な斜視図である。
【図７】図１の矢視ＶＩＩ−ＶＩＩ線の部分的な側面図である。
【図８】図１の矢視ＶＩＩＩ−ＶＩＩＩ線の部分的な側面図である。
【符号の説明】
【００９４】
１  美容器
３  ケーシング
５  ハンドル
７  フード
９  トリートメント水用霧化装置
１１  載置台
１３  美容器支持部材
１５  取付バンド
１７  ハンドル付ボルト
１９  エゼクター
２１  点火プラグ（点火装置）
２３  燃焼器
２５  吸引口
２７  出口
２９  送風機
３７  ガスタンク
３９  乾電池（電源）
４１  ガス供給管（ガス流路）
４３  コントロールバルブ（ガスの開閉弁）
４５  操作レバー
４７  マグネットユニット
４９  点火用圧電素子
５５  スイッチングアンプ（スイッチング制御部）
６１  着火センサ（着火検出器）
６３  温風過熱センサ（過熱検出器）
６５  チャンバー
６７  一次燃焼室
６９  二次燃焼室
７１  ノズル（エゼクター）
７３  噴射穴
７７  ミキサー
７９  ウイック（ガス燃焼部）
８３  溝部
８５  二次エアー管路
８７  フィン
８９  ストレート部
９１  気流拡散部
９３  渦流発生装置
９５  中心円筒部
９７  渦流発生壁部
９９  渦流発生用穴部
１０１  拡散板
１０３  筒状体
１０５  拡散部
１０７  拡散板支持体
１０９  支持バー
１１１  貯留容器
１１３  貯留びん
１１５  超音波発生装置
１１７  供給管
１１９  送風ファン（供給手段）
【図１】
2007319618.tif 000003
【図２】
2007319618.tif 000004
【図３】
2007319618.tif 000005
【図４】
2007319618.tif 000006
【図５】
2007319618.tif 000007
【図６】
2007319618.tif 000008
【図７】
2007319618.tif 000009
【図８】
2007319618.tif 000010